(57)【要約】【課題】組立性に優れ、かつ間伐材の処理問題にも寄与することのできるフェンス及びその組立方法を提供することを目的とする。【解決手段】間伐材からなる支柱２に貫通孔２０、２１を開口し、貫通孔２０、２１に水平ロープ材３を挿通する。水平ロープ材３にストッパ体４を移動可能に環装し、ストッパ体４を貫通孔２０、２１に押し込んで水平ロープ材３を支柱２に固定する。またストッパ体４は、外側をテーパ面４０に形成するとともに軸方向全長にわたって外側と内側が通じる切欠き４２を有した可撓性部材からなり、切欠き４２を拡開してストッパ体４を水平ロープ材３に環装する。【選択図】　　　　図１
2004092267.tif 000002
【特許請求の範囲】
【請求項１】
所定の間隔を隔てて立設した支柱間に水平ロープ材を張設してなるフェンスであって、
支柱に水平ロープ材が挿通する貫通孔を開口し、
前記水平ロープ材に縮径可能なストッパ体を環装し、
前記ストッパ体を前記貫通孔に押し込んで前記水平ロープ材を前記支柱に固定することを特徴とする、
フェンス。
【請求項２】
請求項１に記載するフェンスにおいて、端部の支柱に開口した二つの貫通孔に、水平ロープ材の終端部を折り返して挿通し、前記ストッパ体を夫々貫通孔に押し込んで該水平ロープ材の端部を支柱に固定することを特徴とする、フェンス。
【請求項３】
請求項１または請求項２に記載するフェンスにおいて、前記ストッパ体の一部に、水平ロープ材の側方から外装可能な切欠きを形成したことを特徴とする、フェンス。
【請求項４】
貫通孔を開口した間伐材からなる支柱と、
支柱間に張設する水平ロープ材と、
請求項１乃至３のいずれかに記載するストッパ体とを使用し、
前記貫通孔を介して各支柱に水平ロープ材を挿通し、
前記水平ロープ材に前記ストッパ体を環装し、
前記ストッパ体を前記貫通孔に押し込んで縮径することにより前記水平ロープ材を前記支柱に固定して行なう、
フェンスの組立方法。
【請求項５】
請求項４に記載するフェンスの組立方法において、前記ストッパ体を中間支柱の左右両側から貫通孔に押し込んで水平ロープ材を中間支柱に固定して行う、フェンスの組立方法。
【請求項６】
請求項４に記載するフェンスの組立方法において、水平ロープ材の終端部を折り返して端部の支柱の二つの貫通孔に挿通し、前記ストッパ体を夫々貫通孔に押し込んで該水平ロープ材を端部の支柱に固定して行う、フェンスの組立方法。
【発明の詳細な説明】
【０００１】
【発明の属する技術分野】
本発明は、歩道や自転車用道路あるいは山道などに設置するフェンス及びその組立方法に関するものである。
【０００２】
【従来の技術】
歩道や自転車用道路などには、自動車の進入を防ぐためにフェンスを設置する。従来のフェンスは、コンクリート製や金属製のガードレール、ガードケーブル、ガードパイプなどがほとんどであり、コンクリートを打設したり、鋼材を溶接またはボルト結合して組み立てているため、組立性が悪いものであった。
一方、山岳地帯の工事で間伐材が大量に発生し、間伐材の処理が深刻な社会問題となっており、間伐材の有効利用がさまざまな方面で検討されている。
【０００３】
【発明の目的】
本発明は上記に鑑みて考えられたもので、組立性に優れ、かつ間伐材の処理問題にも寄与することのできるフェンス及びその組立方法を提供することを目的とする。
【０００４】
【課題を解決するための手段】
上記のような目的を達成するために、本発明のフェンスは、所定の間隔を隔てて立設した支柱間に水平ロープ材を張設してなるフェンスであって、支柱に水平ロープ材が挿通する貫通孔を開口し、前記水平ロープ材に縮径可能なストッパ体を環装し、前記ストッパ体を前記貫通孔に押し込んで前記水平ロープ材を前記支柱に固定することを特徴とする。
【０００５】
ここで、端部の支柱に開口した二つの貫通孔に、水平ロープ材の終端部を折り返して挿通し、前記ストッパ体を夫々貫通孔に押し込んで該水平ロープ材の端部を支柱に固定することができる。
また前記ストッパ体は、その一部に水平ロープ材の側方から外装可能な切欠きを形成してなる。
【０００６】
また、本発明のフェンスの組立方法は、貫通孔を開口した間伐材からなる支柱と、支柱間に張設する水平ロープ材と、前記したストッパ体とを使用し、前記貫通孔を介して各支柱に水平ロープ材を挿通し、前記水平ロープ材に前記ストッパ体を環装し、前記ストッパ体を前記貫通孔に押し込んで縮径することにより前記水平ロープ材を前記支柱に固定して行なうものである。
【０００７】
ここで前記ストッパ体を中間支柱の左右両側から貫通孔に押し込んで水平ロープ材を中間支柱に固定して行うことができる。
また、水平ロープ材の終端部を折り返して端部の支柱の二つの貫通孔に挿通し、前記ストッパ体を夫々貫通孔に押し込んで該水平ロープ材を端部の支柱に固定して行うことができる。
【０００８】
【発明の実施の形態】
以下、図面を参照しながら本発明に係る実施の形態について説明する。
【０００９】
＜イ＞フェンス（図１）
フェンス１は歩道や自転車用道路あるいは山道などに設置するもので、複数の支柱２、複数の水平ロープ材３及びストッパ体４より構成する。
【００１０】
＜ロ＞支柱
支柱２には、両端に設置する端支柱２Ａと、端支柱２Ａの中間に設置する中間支柱２Ｂの２種類を用いる。
端支柱２Ａ、中間支柱２Ｂの素材としては、間伐材を使用することが望ましい。
間伐材の使用形態は、丸い断面形状や角形断面形状など必要に応じて適宜選択する。
間伐材の表面を防腐防虫処理を行なっておく。
端支柱２Ａ、中間支柱２Ｂの軸心と直交する方向に貫通する均一径の貫通孔２０を、高さ方向に所定の間隔をもって複数開口する。貫通孔２０は、水平ロープ材３を挿通するためのものであり、両側の端支柱２Ａと複数の中間支柱２Ｂを地面５に立設した状態では、各貫通孔２０は同軸上にある。
また、端支柱２Ａには、貫通孔２０と略平行に貫通孔２１を近接して開口する（図３参照）。
【００１１】
＜ハ＞水平ロープ材
水平ロープ材３は、ポリエチレン、ナイロンなどの合成繊維からなる複数の素線束（通常は３束）を編成して構成する。また、遊歩道などの景観とマッチするように麻繊維などを使用してもよい。
複数の素線をより合わせて構成する素線束や、複数の素線束の編成方法等については従来技術と同様である。
水平ロープ材３を各支柱２（端支柱２Ａと中間支柱２Ｂ）の貫通孔２０、２１に挿通し、後述するストッパ体４を介在して端支柱２Ａと中間支柱２Ｂに固定し、複数の水平ロープ材３を互いに平行に張設してフェンス１を構成する。
【００１２】
＜ニ＞ストッパ体
ストッパ体４は、ゴムまたは樹脂等の可撓性部材からなる。
ストッパ体４は、図２、図３に示すように外側が円錐または角錐の一部をなしたテーパ面４０を呈し、内側に水平ロープ材３を挿通可能な中空孔４１を有する筒状体である。
また、ストッパ体４は、その軸方向の全長にわたって外側と内側が通じる切欠き４２を開設して断面Ｃ字形を呈する。この切欠き４２は、水平ロープ材３の差込口として機能するだけでなく、ストッパ体４に縮径機能を付与するためにも役立つ。その開設幅によりストッパ体４の大凡の縮軽量が決まる。
【００１３】
次に本発明のフェンスの組立方法について説明する。
＜イ＞支柱の立設
支柱２に使用する間伐材の長さをフェンス１の寸法に合わせて、例えば長さ１８００ミリメートル程度に切り揃えておく。間伐材の地中に埋設する側は地中に貫入しやすいように先端２２を尖らせておくのがよい。
また、支柱２の所定箇所に貫通孔２０、２１を開口しておく。
なお、間伐材は加工が容易であるため、設置現場で貫通孔２０、２１を開口してもよい。
所定の間隔をあけて支柱２を打ち込み、地面５に立設する。
支柱２は地中貫入式に限らず、基礎を構築したり、支柱２を差込可能な穴を予め開口しておき、この穴に差し込んでセットし、フェンス１を使用しないときは、穴から支柱２を取り外して穴に蓋を被せておくようにしてもよい。
【００１４】
＜ロ＞水平ロープ材の挿通
水平ロープ材３を中間支柱２Ｂの貫通孔２０へ挿通する。その水平ロープ材３の各端を端支柱２Ａの貫通孔２０を挿通させた後、その先端を折り返して別の貫通孔２１に挿通する。
なお、水平ロープ材３の挿通作業は、一端のみを挿通するように一方の端支柱２Ａから他方の端支柱２Ａへ向けて順次行なってもよく、あるいは両端を挿通するように中間支柱２Ｂから両側の端支柱２Ａへ向けて行なってもよく、適宜選択できるものである。
水平ロープ材３が抜け出ることがないように、図示していないが両端の端支柱２Ａ、２Ａの箇所で水平ロープ材３を仮固定しておく。
【００１５】
＜ハ＞ストッパ体の取り付け
支柱２Ａ、２Ｂ間に挿通させた水平ロープ材３の側方からストッパ体４を取り付ける。
即ち、ストッパ体４の小径側を貫通孔２０に向けた状態で、切欠き４２を手で押し広げ、広がった隙間を通してストッパ体４を水平ロープ材３の側方から被せるようにして環装する。ストッパ体４は可撓性を有するため、手で簡単に押し広げることができる。
ストッパ体４は、端支柱２Ａに対しては貫通孔２０、２１に取り付け、中間支柱２Ｂに対しては貫通孔２０の左右両側に取り付ける。
端支柱２Ａ付近は、図３に示すように貫通孔２０、２１を挿通して折り返されている水平ロープ材３に夫々ストッパ体４を環装する。
ストッパ体４を水平ロープ材３に環装する際、水平ロープ材３を引っ張った状態にしておくのがよい。
このようにしてストッパ体４を順次環装し、水平ロープ材３が挿通する中間支柱２Ｂの左右両側付近、端支柱２Ａ付近に取り付けておく。
ここで、水平ロープ材３の固定手段として切欠きのない筒状のストッパ体を用いることも考えられるが、単なる筒状のストッパ体では、水平ロープ材３を各支柱２の貫通孔２０、２１に挿通する毎にストッパ体を水平ロープ材３の端部に差し込んで環装する必要があり、多くの手間と時間がかかる。
本発明ではストッパ体４に切欠き４２を形成しておくだけで、水平ロープ材３を支柱２Ａ、２Ｂに挿通する作業と連携した作業を強いられず、ストッパ体４をまとめて水平ロープ材３の側方から簡単に取り付けることができ、作業効率がよい。
【００１６】
＜ニ＞水平ロープ材の固定
水平ロープ材３にストッパ体４を環装しただけでは、水平ロープ材３が支柱２Ａ、２Ｂに対して移動可能である。
そこで各ストッパ体４を各貫通孔２０、２１に押し込む（図２、３参照）。
ストッパ体４の外側がテーパ面４０となっているので、押し込まれるにつれて切欠き４２の幅を縮小しながら中空孔４１が縮径する。その結果、ストッパ体４が各貫通孔２０、２１に掛止した状態で水平ロープ材３を挟持する。
これによって水平ロープ材３は、ボルトやナットなどを使用することなく、ストッパ体４を介して端支柱２Ａや中間支柱２Ｂに固定することができる。
端支柱２Ａには、水平ロープ材３を折り返すことで確実に固定されるので、外力が加わっても水平ロープ材３が抜け出るようなことはない。
【００１７】
＜ホ＞フェンスの解体
積雪期などフェンス１の全部または一部を解体して撤去したり、新しい構成材と交換したりするときは、ストッパ体４を貫通孔２０、２１から引き抜いて固定を解除するだけで、水平ロープ材３を取り外して必要な範囲を解体することができる。
ストッパ体４を押し込んであるだけなので、簡単に引き抜いて取り外すことができる。
【００１８】
【発明の実施の形態２】
ストッパ体４の大径側の一端にフランジ４３を形成してもよい（図４参照）。
この場合は、フランジ４３が支柱２に当接するまでストッパ体４を貫通孔２０、２１に押し込めばよく、作業性がよい。
【００１９】
【発明の実施の形態３】
以上は均一径の貫通孔２０、２１と、テーパ状のストッパ体４とを組み合わせた例を説明したが、水平ロープ材３の他の固定手段としてはストッパ体４の外側を均一径に形成し、貫通孔２０、２１をテーパ状に形成してもよい。
またストッパ体４と貫通孔２０、２１を共にテーパ状に形成した組み合せであってもよい。
要はストッパ体４を貫通孔２０、２１に押し込んだときに、ストッパ体４が縮径する構造であればよい。
【００２０】
【本発明の効果】
本発明は、以上説明したようになるから次のような効果を得ることができる。＜イ＞水平ロープ材を支柱の貫通孔に挿通後、ボルトやナットを使用することなく、ストッパ体を貫通孔へ押し込むだけで水平ロープ材を支柱に固定できるので、組立性が極めてよい。
＜ロ＞ストッパ体を貫通孔から引き抜くことで水平ロープ材を取り外すことができ、フェンスを使用しないときは簡単に解体することができる。
＜ハ＞間伐材を支柱に使用することで、これまで処分が問題になっている間伐材を有効に活用することができる。また廃棄物である間伐材を廃棄することなく、リサイクルすることにより環境汚染の防止に大きく貢献する。
＜ニ＞間伐材を支柱に使用することで、自然と調和した景観を提供することができる。
【図面の簡単な説明】
【図１】本発明のフェンスを示す正面図。
【図２】水平ロープ材をストッパ体を介して中間支柱に固定する状態を示す説明図。
【図３】水平ロープ材をストッパ体を介して端支柱に固定する状態を示す斜視図。
【図４】他のストッパ体の断面図。
【符号の説明】
１・・・・フェンス
２・・・・支柱
２Ａ・・・端支柱
２Ｂ・・・中間支柱
２０、２１・・・貫通孔
３・・・・水平ロープ材
４・・・・ストッパ体
４０・・・テーパ面
４１・・・中空孔
４２・・・切欠き
４３・・・フランジ
【図１】
2004092267.tif 000003
【図２】
2004092267.tif 000004
【図３】
2004092267.tif 000005
【図４】
2004092267.tif 000006